(57)【要約】      （修正有）【課題】光や風や自然の雰囲気を組み込んだ新規な構成の玄関ドアを提供する。【解決手段】金属製で、中央に縦長矩形の開口７を有する縦長矩形の框体６と、框体６の中央開口７に嵌められたドア板８とによって玄関ドア１を構成する。ドア板８は、上下方向には直線状で、平面視において外側へ円弧状に凸湾曲した主面を有し、主面の内側には、内側空間１２が確保されている。この内側空間１２を利用して、ドア板８の内側に対して着脱自在にプランター受け具１３を設ける。プランター受け具１３は、ドア板８に確保された内側空間１２を利用して取り付けられているため、プランター受け具１３が玄関ドア１自体の機能性を損なわず、自然の植物等を玄関ドア１と融合させられる。【選択図】図１
0003154885.tif 000002
【実用新案登録請求の範囲】
【請求項１】
金属性の上かまち、下かまちおよび左右に設けられた２つの縦かまちにより区画され、中央に縦長矩形の開口を有する縦長矩形の框体と、
前記框体の中央開口に嵌められ、中央開口を塞ぐドア板とを備え、
前記ドア板は、上下方向には直線状で、平面視において外側へ円弧状に凸湾曲した主面を有し、
前記ドア板の凸湾曲した主面の内側には、内側空間が確保されていて、この内側空間を利用して、前記ドア板の内側に対して着脱自在に設けられたプランター受け具を有することを特徴とする、玄関ドア。
【請求項２】
前記ドア板には、内側空間に光を取り込むための採光窓が設けられていることを特徴とする、請求項１記載の玄関ドア。
【請求項３】
前記ドア板には、通気用の通気孔が設けられていることを特徴とする、請求項１または２記載の玄関ドア。
【請求項４】
前記ドア板は、正面視が縦長矩形であって、その上辺の左右方向中央部から上方へ突出する上支軸が備えられ、かつ、その下辺の左右方向中央部から下方へ突出する下支軸が備えられていて、
前記ドア板の上支軸および下支軸は、それぞれ、上かまちおよび下かまちにより回転自在に保持されていて、
前記ドア板は、主面が外側へ円弧状に凸湾曲した状態から、前記上支軸および下支軸を中心に１８０°回転されることにより、前記框体に対する装着状態を、前記ドア板の内側空間が外側に臨んだ状態に変更することができることを特徴とする、請求項１〜３のいずれかに記載の玄関ドア。
【考案の詳細な説明】
【技術分野】
【０００１】
この考案は、玄関ドアに関する。
【背景技術】
【０００２】
玄関ドアにおいて、採光性や通気性を向上させる提案や、自然の風合いを組み込む提案等がなされている。
特許文献１には、採光性を確保した共同玄関ドアが提案されている。
特許文献２には、玄関ドアにおける通気性を確保する構成が提案されている。
特許文献３には、通風性や採光性が得られるとともに、自然素材の風合いを生かした玄関構造が提案されている。
【０００３】
特許文献４および特許文献５には、玄関ドアに隣接して植木鉢等の植物の設置スペースを設ける提案がなされている。
【先行技術文献】
【特許文献】
【０００４】
【特許文献１】特開２００２−５４３５５号公報
【特許文献２】特開２００１−９８８５２号公報
【特許文献３】特開２００８−１３９７２号公報
【特許文献４】実開昭５７−８８８７６号公報
【特許文献５】特開平８−１３９３１号公報
【考案の概要】
【考案が解決しようとする課題】
【０００５】
従来の玄関ドアにおいては、採光性の向上や通気性の向上を図る構成は提案されているが、玄関ドア自体に観葉植物等の設置場所を設け、自然の息吹をより積極的に感じられるような玄関ドアは実現されていなかった。
一方、特許文献４、５に提案されているように、玄関ドアの脇に植物配置用のスペースを設ける提案はあるが、玄関ドアの傍に比較的広いスペースを要するものであり、集合住宅等の相対的に狭い玄関では実現することのできない構成である。
【０００６】
この考案は、このような背景技術のもとになされたものであって、玄関ドア自体にプランター受け具を設け、しかも、プランター受け具が玄関ドア自体の機能性を損なわない構成として、自然の植物等を玄関ドアと融合させることのできる新規な玄関ドアを提供することを主たる目的とする。
この考案は、また、光や風や自然の雰囲気を組み込んだ新規な構成の玄関ドアを提供することを他の目的とする。
【課題を解決するための手段】
【０００７】
請求項１記載の考案は、金属性の上かまち、下かまちおよび左右に設けられた２つの縦かまちにより区画され、中央に縦長矩形の開口を有する縦長矩形の框体と、前記框体の中央開口に嵌められ、中央開口を塞ぐドア板とを備え、前記ドア板は、上下方向には直線状で、平面視において外側へ円弧状に凸湾曲した主面を有し、前記ドア板の凸湾曲した主面の内側には、内側空間が確保されていて、この内側空間を利用して、前記ドア板の内側に対して着脱自在に設けられたプランター受け具を有することを特徴とする、玄関ドアである。
【０００８】
請求項２記載の考案は、前記ドア板には、内側空間に光を取り込むための採光窓が設けられていることを特徴とする、請求項１記載の玄関ドアである。
請求項３記載の考案は、前記ドア板には、通気用の通気孔が設けられていることを特徴とする、請求項１または２記載の玄関ドアである。
請求項４記載の考案は、前記ドア板は、正面視が縦長矩形であって、その上辺の左右方向中央部から上方へ突出する上支軸が備えられ、かつ、その下辺の左右方向中央部から下方へ突出する下支軸が備えられていて、
前記ドア板の上支軸および下支軸は、それぞれ、上かまちおよび下かまちにより回転自在に保持されていて、前記ドア板は、主面が外側へ円弧状に凸湾曲した状態から、前記上支軸および下支軸を中心に１８０°回転されることにより、前記框体に対する装着状態を、前記ドア板の内側空間が外側に臨んだ状態に変更することができることを特徴とする、請求項１〜３のいずれかに記載の玄関ドアである。
【考案の効果】
【０００９】
請求項１記載の考案によれば、かまちにより区画された框体の中央開口に嵌められたドア板は、上下方向には直線状で、平面視において外側へ円弧状に凸湾曲した主面を有している。すなわち、ドア板は、横方向に円弧状に凸湾曲している。このため、ドア板の凸湾曲した主面の内側は、外側に向かって凹湾曲しており、そこに内側空間が確保されている。玄関ドアには、この内側空間を利用して、玄関ドアの開閉に全く支障なく、プランター受け具を取り付けることができる。そしてプランター受け具に観葉植物等を植えたプランターを収容することで、玄関ドアに対して植物を見た目にも良好で、かつ玄関ドアの機能を損なわない態様で組み込むことができる。
【００１０】
プランター受け具は、ドア板主面の内側に確保された内側空間にその半分が収まり、残り半分が玄関ドアの内側に突出するような形状とすることにより、玄関ドアの内側にプランター受け具が大きく出っ張らず、玄関ドアに良好に植物を融合させることが可能となる。
請求項２記載の考案のように、ドア板に採光窓を設けることにより、プランター受け具に入れられた植物に外側から差し込む光を当てることができる。
【００１１】
また、請求項３記載の考案のように、ドア板に通気孔を設けることにより、玄関ドアの通気性の向上が図れる。
なお、玄関ドアが集合住宅用の玄関ドアの場合は、消防法の規定を満足した耐火性能を備えなければならないが、採光窓に耐火ガラスを嵌め込んだり、通気孔に喚起シャッターを設ける等によって、集合住宅にも適した玄関ドアとすることが可能である。
【００１２】
請求項４記載の考案によれば、ドア板を框体に対して回転させられる。このため、たとえば昼間は、ドア板の凸湾曲した主面がドアの内側に位置するように回転させることにより、プランター受け具に収容された植物に、外の光や外気を存分に与えることができる。
【図面の簡単な説明】
【００１３】
【図１】図１は、この考案の一実施例（第１の実施例）に係る玄関ドア１の斜視図であり、玄関ドア１を内側斜め上方から見た図である。
【図２】図２は、図１に示す玄関ドア１の右側面図である。
【図３】図３は、図１に示す玄関ドア１の平面図である。
【図４】図４は、この考案の第２の実施例に係る玄関ドア３０の正面図（外側から見た状態を正面図とする。）である。
【図５】図５は、第２の実施例に係る玄関ドア３０の背面図である。
【図６】図６は、第２の実施例に係る玄関ドア３０の右側面図である。
【図７】図７は、第２の実施例に係る玄関ドア３０の左側面図である。
【図８】図８は、第２の実施例に係る玄関ドア３０の平面図である。
【図９】図９は、第２の実施例に係る玄関ドア３０の底面図である。
【図１０】図１０は、図４に示す玄関ドア３０のＡ−Ａ断面図である。
【図１１】図１１は、プランター受け具１３の取付構造をより具体的に示す斜視図である。
【図１２】図１２は、この考案の第３の実施例に係る玄関ドア４０の図解的な分解斜視図である。
【図１３】図１３は、この考案の第３の実施例に係る玄関ドア４０の機能を説明するための図解的な平面図である。
【考案を実施するための形態】
【００１４】
以下には、図面を参照して、この考案の具体的な実施例について詳細に説明する。
図１は、この考案の一実施例に係る玄関ドア１の斜視図であり、玄関ドア１を内側斜め上方から見た図である。
図１を参照して、玄関ドア１には、金属製の上かまち２、下かまち３、左縦かまち４および右縦かまち５が含まれており、これら４つのかまち２〜５により縦長矩形の框体６が区画されている。なお、複数のかまちを組合せて框体６とせず、単一部材のかまちによって（たとえば、１枚の金属板を加工する等によって）框体６を形成することもできる。框体６はその中央に縦長矩形の中央開口７を有する。そして、この中央開口７には金属製のドア板８が嵌合されていて、中央開口７が塞がれている。
【００１５】
各かまち２〜５は、たとえばアルミニウム、ステンレス、鉄等の金属板が加工されて、それぞれが中空で所定の厚みを有する部材である。あるいは、金属製の内部に空洞のない棒材により形成されていてもよい。框体６は、それら各かまち２〜５が組み合わされ、溶接等により連結されたものである。なお、前述したように、框体６は、単一部材からなる一体構成のものでもよい。
【００１６】
この実施例では、左縦かまち４のたとえば上端および下端に図示しないヒンジが取り付けられ、玄関ドア１の開閉支軸となる。また、右縦かまち５には、たとえば上下方向中央部に開閉用のノブ９および施錠装置１０が組み込まれている。
図２は、図１に示す玄関ドア１の右側面図であり、図３は、玄関ドア１の平面図である。
【００１７】
図１〜図３を参照して、この玄関ドア１の特徴は、框体６の中央開口７に嵌合されたドア板８が、平面視において外側へ円弧状に凸湾曲していることである。より具体的には、ドア板８は、上下方向に直線状で（図２参照）、平面視において外側へ円弧状に凸湾曲した主面１１を有する（図３参照）形状とされ、ドア板８の凸湾曲した主面１１の内側には、内側空間１２（図１参照）が確保されていることである。そして、この内側空間１２を利用して、ドア板８の内側には、たとえば上下に間隔を開けて３つのプランター受け具１３が備えられている。
【００１８】
ドア板８の左右方向中央部の最も張り出した部分は、図２および図３に示されるように、ノブ９の突出量とほぼ同等である。また、ドア板８の主面１１は、平面視において緩やかな円弧状に凸湾曲して張り出しているため、框体６の外面から異様に突出した印象は与えず、框体６と一体化しており、玄関ドア１全体としての外観に全く違和感はない。また、玄関ドア１の開閉においても、ドア板８の凸湾曲した主面１１が邪魔になる等の不具合は全くない。
【００１９】
一方、ドア板８の主面１１の内側に形成された内側空間１２には、プランター受け具１３が取り付けられている。プランター受け具１３は、平面視の形状が、内側空間１２を面対称に組み合わせた横長で中央部が膨らんだ形状をしている。すなわち、図２および図３に示すように、プランター受け具１３は、その半分の膨らみは内側空間１２内に収まっており、残り半分の膨らみが玄関ドア１の内面側に出るように取り付けられている。よって、プランター受け具１３に観葉植物等が植えられたプランターを収容するために必要充分な大きさを与えることができ、しかも、プランター受け具１３の室内側への張り出し（玄関ドア１の内面方向への出っ張り）はほとんど気にならない程度の張り出しとすることができる。
【００２０】
よって、プランター受け具３に植物が植えられたプランターを収容することにより、植物を玄関ドア１と一体的に融合させることができる。
ドア板８は、また、水平方向に広がる下面１４および上面１５を有している。上面１５にはたとえば４つの孔１６が形成されている。孔１６を通して、光や空気を玄関ドア１の内側へ取り込むことができる。
【００２１】
下面１４にも、必要に応じて、通気性の孔が設けられていてもよい。
ドア板８には、この実施例では、左右方向中央に、上下方向に延びるスリット状の採光窓１７が設けられている。採光窓１７には、たとえば強化ガラス等の透明材が嵌め込まれている。
この実施例では、図１に示すように、ドア板８が框体６に対して内側から多数のねじ１８によって取り付けられており、ドア板８が框体６に対して取り外し可能である構成を説明した。
【００２２】
しかし、ドア板８の周縁部を框体６に対して溶接等により取り付け、框体６に対してドア板８が取り外しできない構成としてもよい。
また、ドア板８は、この実施例では金属製としたが、木製、樹脂製等、金属以外の材料でドア板８を構成してもよい。
次に、この考案の第２の実施例について説明をする。
【００２３】
図４は第２の実施例に係る玄関ドア３０の正面図（この実施例では、外側から見た状態を正面図とする。）、図５は玄関ドア３０の背面図、図６は玄関ドア３０の右側面図、図７は玄関ドア３０の左側面図、図８は玄関ドア３０の平面図、図９は玄関ドア３０の底面図、図１０は図４におけるＡ−Ａ断面図である。
玄関ドア３０の基本的な構成は、先に説明した玄関ドア１と同様である。すなわち、玄関ドア３０は、上かまち２、下かまち３、左縦かまち４、右縦かまち５で形成された框体６と、框体６の中央開口７に嵌められたドア板８を有している。そして、ドア板８は、図６〜図１０に示すように、上下方向には直線状で、平面視において外側へ円弧状に凸湾曲した主面１１を有する湾曲形状とされている。そして、これにより、凸湾曲したドア板８の内側には内側空間１２が確保されていて、この内側空間１２を利用してプランター受け具を取り付け可能になっていることである。
【００２４】
さらに、玄関ドア３０の内側には、その下方部に換気口３１が備えられている。換気口３１は、ドア板８の下面１４と框体６の下方部に取り付けられた内板３２を利用して形成されている。すなわち、ドア板８の下面１４に形成された孔３３を通って空気が進入し（図９参照）、その進入した空気は内板３２に設けられた換気口３１から室内へ流入する構成が採用されている（図７参照）。換気口３１にはプッシュ式のカバー３４が備えられていて、換気の必要がない場合には、換気口３１を閉鎖できるようにされている。
【００２５】
さらに、玄関ドア３０では、プランター受け具自体ではなく、プランター受け具１３を保持するための一対の保持金具３５が、上下方向に所定の間隔を開けて３段に取り付けられている。保持金具３５は、ドア板８の内側の左右両端縁に、たとえばボルトで固定されている。
図１１を参照してより詳しく説明すると、ドア板８の左右端縁には上下方向に延びるフランジ８１が備えられている。そしてこのフランジ８１に対して保持金具３５がねじ３６で取り付けられている。保持金具３５は、平面視略三角形状の受け止め空間３７を有している。プランター受け具１３には、その左右方向両端部に底面視略三角形状の挿入突部３８が備えられている。プランター受け具１３の左右両端部に備えられた挿入受け部３８が、保持金具３５の受け止め空間３７内に差し込まれることにより、プランター受け具１３はドア板８に形成された内側空間１２を利用して、この内側空間１２内に全体のほぼ半分が収まるように取り付けられる。
【００２６】
さらに、この考案の第３の実施例について説明をする。
図１２は、第３の実施例の図解的な分解斜視図であり、図１３は、第３の実施例の機能を説明するための図解的な平面図である。
図１２を参照して、この実施例に係る玄関ドア４０は、かまちにより区画された縦長矩形の框体６を有し、框体６には中央開口７が形成されている。また、ドア板８を備えている。ドア板８は、先の実施例と同様、上下方向には直線状で、平面視において外側へ円弧状に凸湾曲した主面１１を有している。
【００２７】
この実施例の特徴は、ドア板８が、上辺８２の左右方向中央部に、上方へ突出する上支軸８３を有するとともに、その下辺８４にも、左右方向中央部から下方へ突出する下支軸８５を有することである。そして、框体６には、上かまち２の左右方向中央部に軸受孔２１が備えられるとともに、下かまち３の左右方向上縁中央にも軸受孔２２が形成されていることである。そしてドア板８は、上支軸８３が上かまち２の軸受孔２１に回転自在に保持され、下支軸８５は下かまち３の軸受孔２２に回転自在に保持されている。
【００２８】
その結果、たとえば、通常状態では、図１３（ａ）に示すように、ドア板８を外方へ突出するように配置し、縦かまち４、５に設けられた固定用フック４１で固定する。この状態では、先に説明した玄関ドア１、３０と全く同じように使用できる。
一方、固定用フック４１を回動させると、ドア板８は上支軸８３、下支軸８５を中心に水平方向に回転可能である。そこで、図１３（ｂ）に示すようにドア板８を１８０°回転させることにより、凸湾曲したドア板８の主面１１を玄関ドア４０の内側に張り出させ、その内側空間１２を玄関ドア４０の外側に臨ませることができる。その際、ドア板８に、固定用フック４１が嵌まる溝または凹部４２を形成しておけば、ドア板８を１８０°回転させた状態で、框体６に固定することができる。
【００２９】
それゆえ、たとえば日中等の家人が在宅中において、ドア板８を１８０°回転させ、図１３（ｂ）に示す状態にすることにより、内側空間１２を利用して設けられたプランター受け具１３に収容された植物等を、外の光に充分に当てることができる。
この考案は、以上の各実施例に限定されるものではなく、請求項記載の範囲内において種々の変更が可能である。
【符号の説明】
【００３０】
１、３０、４０    玄関ドア
２    上かまち
３    下かまち
４、５    縦かまち
６    框体
７    中央開口
８    ドア板
１１    主面
１２    内側空間
１３    プランター受け具
１４    ドア板８の下面
１５    ドア板８の上面
１６、３３    孔
１７    採光窓
２１、２２    軸受孔
３１    換気口
【図１】
0003154885.tif 000003
【図２】
0003154885.tif 000004
【図３】
0003154885.tif 000005
【図４】
0003154885.tif 000006
【図５】
0003154885.tif 000007
【図６】
0003154885.tif 000008
【図７】
0003154885.tif 000009
【図８】
0003154885.tif 000010
【図９】
0003154885.tif 000011
【図１０】
0003154885.tif 000012
【図１１】
0003154885.tif 000013
【図１２】
0003154885.tif 000014
【図１３】
0003154885.tif 000015